【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
上部カバーを有する下方電子機器ユニットと、
前記上部カバーの少なくとも１つのフック開口部および少なくとも１つのリフトプッシャ開口部と、
前記下方電子機器ユニットの側壁のボタン開口部と、
前記ボタン開口部を通って延びる摺動フック部片の端部のボタン、前記フック開口部を通って延びる少なくとも１つのフック、および前記リフトプッシャ開口部を通って延びる少なくとも１つのリフトプッシャを含む前記摺動フック部片であって、前記上部カバーに摺動可能に取り付けられる、前記摺動フック部片と、
前記ボタンが押されたときに、前記リフトプッシャを上向きに動かす前記上部カバー上のリフト手段と、
を備えた、ドッキング機器システム。
【請求項２】
前記摺動フック部片は、
前記上部カバーの内部上面と平行である概して平らなボディであって、前記フックが前記平らなボディから上向きに延びる、前記概して平らなボディと、
前記リフトプッシャが上向きに延びる少なくとも１つのリフトプッシュレバーと、
を備え、
前記リフトプッシュレバーは、前記ボタンが押されたとき、前記リフト手段上で摺動して前記リフトプッシャを上向きに動かす、請求項１に記載のドッキング機器システム。
【請求項３】
前記リフトプッシュレバーは、ピボットヒンジを中心に旋回する平坦部分を備え、前記ピボットヒンジの第１の側の前記平坦部分の第１の部分は前記リフトプッシャを支持し、前記ボタンが押されたとき、前記ピボットヒンジの第２の側の前記平坦部分の第２の部分は前記リフト手段に係合し、前記第２の部分が前記リフトプッシャを上向きに動かす前記リフト手段に係合すると、前記平坦部分は前記ピボットヒンジを中心に回転する、請求項２に記載のドッキング機器システム。
【請求項４】
前記リフト手段は、前記上部カバーの前記内部上面の斜面であり、前記第２の部分は、前記ボタンが押されたとき、前記斜面を上方へ摺動して前記平坦部分を回転させる、請求項３に記載のドッキング機器システム。
【請求項５】
前記上部カバーの前記内部上面は、少なくとも１つの保持リブを含み、
前記摺動フック部片は、前記摺動フック部片を前記ボタン開口部の方に付勢するように前記保持リブにばね懸架されている少なくとも１つのばねフィンガを含む、請求項４に記載のドッキング機器システム。
【請求項６】
前記上部カバーの前記内部上面は、前記ピボットヒンジのエッジを保持するスロットをそれぞれ形成する少なくとも１つの保持タブを含み、前記保持タブは、前記摺動フック部片が前記上部カバーに摺動可能に取り付けられることを可能にする、請求項５に記載のドッキング機器システム。
【請求項７】
前記摺動フック部片の前記概して平らなボディは、前記ボタンが延びる前方細片部分と、平坦な突起すなわちエッジがある対向する後方細片部分とを含み、
前記平坦な突起すなわちエッジは、前記上部カバーの前記内部上面から形を成す少なくとも１つのエッジ保持タブによって形成された少なくとも１つのエッジスロット内に位置付けられ、
前記エッジ保持タブはまた、前記摺動フック部片が前記上部カバーに摺動可能に取り付けられることを可能にする、請求項６に記載のドッキング機器システム。
【請求項８】
前記下方電子機器ユニットの前記上部カバー上でドッキングする上方電子機器ユニットを備え、前記上方電子機器ユニットは、前記フックに係合する少なくとも１つのフック受け開口部を備える、請求項１に記載のドッキング機器システム。
【請求項９】
前記上方電子機器ユニット内の少なくとも１つの案内ピン開口部と、
前記上部カバーから上向きに延びる少なくとも１つの案内ピンと、
を備え、
前記案内ピンは前記案内ピン開口部に入って、前記上方電子機器ユニットを前記下方電子機器ユニットと整合させる、請求項８に記載のドッキング機器システム。
【請求項１０】
前記上方電子機器ユニットから下向きに延びる足と、
前記上部カバー上の足ポケットと
を備え、
前記足は前記足ポケットに入って、前記上方電子機器ユニットを前記下方電子機器ユニットと整合させる、請求項８に記載のドッキング機器システム。
【請求項１１】
前記摺動フック部片は、前記上部カバーの内部上面と平行である概して平らなボディであり、前記概して平らなボディは、
前記ボタンが延びる前方細片部分と、
平坦な突起すなわちエッジがある、対向する後方細片部分と、
前記前方細片部分と前記対向する後方細片部分の間に延びる２つの側方細片部分と、
前記前方細片部分、対向する後方細片部分、および前記２つの側方細片部分によって画定された中空の中心領域と
を備える、請求項２に記載のドッキング機器システム。
【請求項１２】
前記下方電子機器ユニットは前記上部カバーに通気孔を有し、
前記中空の中心部分は、前記通気孔のうちの少なくとも１つの直下にあって、前記下方電子機器ユニットの内部と前記通気孔の間の空気流が可能になる、請求項１１に記載のドッキング機器システム。
【請求項１３】
前記下方電子機器ユニットは前記上部カバーに通気孔を有し、
前記上方電子機器ユニットは、前記上部カバーに面する下部側に下部通気孔を備え、
前記摺動フック部片は、前記上部カバーの内部上面と平行である概して平らなボディであり、前記概して平らなボディは、
前記ボタンが延びる前方細片部分と、
平坦な突起すなわちエッジがある、対向する後方細片部分と、
前記前方細片部分と前記対向する後方細片部分の間に延びる２つの側方細片部分と、
前記前方細片部分、対向する後方細片部分、および前記２つの側方細片部分によって画定された中空の中心領域と
を備えた、請求項８に記載のドッキング機器システム。
【請求項１４】
前記下方電子機器ユニットの前記上部カバー上でドッキングする上方電子機器ユニットであって、前記フックに係合する少なくとも１つのフック受け開口部、および前記上部カバーに面する下部側の電子コネクタを備えた、前記上方電子機器ユニットと、
前記電子コネクタに係合する前記下方電子機器ユニットの下方電子コネクタと、
を備えた、請求項１に記載のドッキング機器システム。
【請求項１５】
前記上方電子機器ユニット内の少なくとも１つの案内ピン開口部と、
前記上部カバーから上向きに延びる少なくとも１つの案内ピンと
を備え、
前記案内ピンは前記案内ピン開口部に入って、前記上方電子機器ユニットを前記下方電子機器ユニットと整合させ、前記下方電子コネクタを前記電子コネクタと接続させる、請求項１４に記載のドッキング機器システム。
【手続補正２】
【補正対象書類名】明細書
【補正対象項目名】００１８
【補正方法】変更
【補正の内容】
【００１８】
図３は、ドッキングシステムの両側面の図を示し、またどのようにしてロック解除ボタン６を、あまり目立たないよう、かつ偶発的にロック解除されにくいように機器の前面から遠くに有利に位置させるように、両側面のうちの一方の中心に位置させることができるかを示す。この図は、どのようにしてこれら機器のどちらかの側面が、排熱を促すための通気孔を有することができるかを示す。通気孔は、一方または両方の側面の（図示のような）垂直スロットとすることができ、またそれぞれの機器の高さの半分を超える高さを有することができる。図３Ａは、係合された下方電子機器２と上方電子機器１の右側面図を示し、図３Ｂは、下方電子機器２とボタン６が外に延びた下方電子機器２に係合された上方電子機器１の左側面図を示す。
【手続補正３】
【補正対象書類名】明細書
【補正対象項目名】００２８
【補正方法】変更
【補正の内容】
【００２８】
したがって、上記は、本発明を実践する可能性のいくつかを例示するものである。他の多くの実施形態が、本発明の範囲および趣旨のうちで可能である。上記の記述は、限定的ではなく説明的なものと見なされること、および本発明の範囲は、添付の特許請求の範囲とその等価物の全範囲を一緒にしたものによって与えられることが意図されている。
［付記１］
上部カバー（１６）を有する下方電子機器ユニット（２）と、
前記上部カバーの少なくとも１つのフック開口部および少なくとも１つのリフトプッシャ開口部と、
前記下方電子機器ユニットの側壁のボタン開口部と、
前記ボタン開口部を通って延びる摺動フック部片の端部のボタン（６）、前記フック開口部を通って延びる少なくとも１つのフック４、および前記リフトプッシャ開口部を通って延びる少なくとも１つのリフトプッシャを含む摺動フック部片（１３）であって、前記上部カバーに摺動可能に取り付けられる前記摺動フック部片（１３）と、
前記ボタンが押されたときに、前記リフトプッシャを上向きに動かす前記上部カバー上のリフト手段（２０）と、
を備えた、ドッキング機器システム。
［付記２］
前記摺動フック部片は、
前記上部カバーの内部上部面と平行である概して平らなボディであって、前記フックが前記平らなボディから上向きに延びる概して平らなボディと、
前記リフトプッシャが上向きに延びる少なくとも１つのリフトプッシュレバー（１９）と
を備え、
前記リフトプッシュレバーは、前記ボタンが押されたとき、前記リフト手段上で摺動して前記リフトプッシャを上向きに動かす、付記１に記載のドッキング機器システム。
［付記３］
前記リフトプッシュレバー（１９）は、ピボットヒンジを中心に旋回する平坦部分を備え、前記ピボットヒンジの１つの側の前記平坦部分の１つの部分は前記リフトプッシャを支持し、前記ボタンが押されたとき、前記ピボットヒンジの第２の側の前記平坦部分の第２の部分は前記リフト手段に係合し、前記第２の部分が前記リフトプッシャを上向きに動かす前記リフト手段に係合すると、前記平坦部分は前記ピボットヒンジを中心に回転する、付記２に記載のドッキング機器システム。
［付記４］
前記リフト手段は、前記上部カバーの前記内部上部面の斜面（２０）であり、前記第２の部分は、前記ボタンが押されたとき、前記斜面を上方へ摺動して前記平坦部分を回転させる、付記３に記載のドッキング機器システム。
［付記５］
前記上部カバーの前記内部上部面は、少なくとも１つの保持リブ（１５）を含み、
前記摺動フック部片は、前記摺動フック部片を前記ボタン開口部の方に付勢するように前記保持リブにばね懸架されている少なくとも１つのばねフィンガ（１４）を含む、付記４に記載のドッキング機器システム。
［付記６］
前記上部カバーの前記内部上部面は、前記ピボットヒンジのエッジを保持するスロットをそれぞれ形成する少なくとも１つの保持タブ（２２）を含み、前記保持タブは、前記摺動フック部片（１３）が前記上部カバーに摺動可能に取り付けられることを可能にする、付記５に記載のドッキング機器システム。
［付記７］
前記摺動フック部片の前記概して平らなボディは、前記ボタンが延びる前方細片部分（２３）と、平坦な突起すなわちエッジ（３５）がある対向する後方細片部分（３４）とを含み、
前記平坦な突起すなわちエッジは、前記上部カバーの前記内部上部面から形を成す少なくとも１つのエッジ保持タブ（３６）によって形成された少なくとも１つのエッジスロット内に位置付けられ、
前記エッジ保持タブはまた、摺動フック部片（１３）が前記上部カバーに摺動可能に取り付けられることを可能にする、付記６に記載のドッキング機器システム。
［付記８］
前記下方電子機器ユニットの前記上部カバー上でドッキングする上方電子機器ユニット（１）を備え、前記上方電子機器ユニットは、前記フックに係合する少なくとも１つのフック受け開口部（１１）を備える、付記１に記載のドッキング機器システム。
［付記９］
前記上方電子機器ユニット内の少なくとも１つの案内ピン開口部（１０）と、
前記上部カバーから上向きに延びる少なくとも１つの案内ピン（５）と
を備え、
前記案内ピンは前記案内ピン開口部に入って、前記上方電子機器ユニットを前記下方電子機器ユニットと整合させる、付記８に記載のドッキング機器システム。
［付記１０］
前記上方電子機器ユニットから下向きに延びる足（３）と、
前記上部カバー上の足ポケットと
を備え、
前記足は前記足ポケットに入って、前記上方電子機器ユニットを前記下方電子機器ユニットと整合させる、付記８に記載のドッキング機器システム。
［付記１１］
前記摺動フック部片は、前記上部カバーの内部上部面と平行である概して平らなボディであり、前記概して平らなボディは、
前記ボタンが延びる前方細片部分（２３）と、
平坦な突起すなわちエッジ（３５）がある、対向する後方細片部分３４と、
前記前方細片部分と前記対向する後方細片部分の間に延びる２つの側方細片部分と、
前記前方細片部分、対向する後方細片部分、および前記２つの側方部分によって画定された中空の中心領域と
を備える、付記２に記載のドッキング機器システム。
［付記１２］
前記下方電子機器ユニット（２）は前記上部カバーに通気孔（２７）を有し、
前記中空の中心部分は、前記通気孔のうちの少なくとも１つの直下にあって、前記下方電子機器ユニットの内部と前記通気孔の間の空気流が可能になる、付記１１に記載のドッキング機器システム。
［付記１３］
前記下方電子機器ユニット（２）は前記上部カバーに通気孔（２７）を有し、
前記上方電子機器ユニットは、前記上部カバーに面する下部側に下部通気孔を備え、
前記摺動フック部片は、前記上部カバーの内部上部面と平行である概して平らなボディであり、前記概して平らなボディは、
前記ボタンが延びる前方細片部分（２３）と、
平坦な突起すなわちエッジ（３５）がある、対向する後方細片部分（３４）と、
前記前方細片部分と前記対向する後方細片部分の間に延びる２つの側方細片部分と、
前記前方細片部分、対向する後方細片部分、および前記２つの側方部分によって画定された中空の中心領域と
を備えた、付記８に記載のドッキング機器システム。
［付記１４］
前記下方電子機器ユニットの前記上部カバー上でドッキングする上方電子機器ユニット（１）であって、前記上方電子機器ユニットは、前記フックに係合する少なくとも１つのフック受け開口部（１１）、および前記上部カバーに面する下部側の電子コネクタ（１２）を備えた、上方電子機器ユニット（１）と、
前記電子コネクタに係合する前記下方電子機器ユニットの下方電子コネクタ（７）と、
を備えた、付記１に記載のドッキング機器システム。
［付記１５］
前記上方電子機器ユニット内の少なくとも１つの案内ピン開口部（１０）と、
前記上部カバーから上向きに延びる少なくとも１つの案内ピン（５）と
を備え、
前記案内ピンは前記案内ピン開口部に入って、前記上方電子機器ユニットを前記下方電子機器ユニットと整合させ、前記下方電子コネクタを前記電子コネクタと接続させる、付記１４に記載のドッキング機器システム。